(57)【要約】【課題】撮影状態に影響されることなく、操作性や保持性を良好にするとともに、記録媒体の着脱を容易に行うことができる記録再生装置を提供する。【解決手段】画像の撮影、記録、再生機能を有する第１の筐体１０と、表示機能を有する第２の筐体２０と、第１の筐体と第２の筐体とを回転可能に連結する連結部３０とを備え、第１の筐体１０は、カメラレンズ４１を有するカメラ部４０を内蔵する収納体６０と、画像の記録、再生を行うディスクデッキ部２１０とを備え、ディスクデッキ部２０は、第１の筐体１０と第２の筐体２０とを開いた状態で露出する面にヒンジ部９０を介して開閉可能に設けられた保護カバー８０と、保護カバー８０を開いた状態で露出する記録媒体収納部２１２とを備えるようにする。【選択図】  図９
2005050413.tif 000002
【特許請求の範囲】
【請求項１】
画像の撮影、記録、再生機能を有する第１の筐体と、表示機能を有する第２の筐体と、第１の筐体と第２の筐体とを回転可能に連結する連結部とを備え、
前記第１の筐体は、カメラレンズを有するカメラ部を内蔵する収納体と、画像の記録、再生を行うディスクデッキ部とを備え、
前記ディスクデッキ部は、前記第１の筐体と前記第２の筐体とを開いた状態で露出する面にヒンジ部を介して開閉可能に設けられた保護カバーと、前記保護カバーを開いた状態で露出する記録媒体収納部とを備えていることを特徴とする記録再生装置。
【請求項２】
画像の撮影、記録、再生機能を有する第１の筐体と、表示機能を有する第２の筐体と、第１の筐体と第２の筐体とを回転可能に連結する連結部とを備え、
前記第１の筐体は、カメラレンズを有するカメラ部と、画像の記録、再生を行うディスクデッキ部とを備え、
前記ディスクデッキ部は、画像の記録、再生を行うピックアップ装置と、記録媒体を収納する記録媒体収納部と、収納された記録媒体を保持する記録媒体装着部とを備え、
前記ピックアップ装置は、その一部が前記ディスクデッキ部よりも突出するように配置され、
前記カメラ部は、前記ピックアップ装置の突出した部分の近傍に配置されるとともに、前記カメラレンズが露出するように前記ピックアップ装置の突出した部分を収納する収納体を備え、
前記収納体は、前記ディスクデッキ部よりも幅の狭い外観形状を備え、
前記第１の筐体は、前記収納体と前記ディスクデッキ部とが一体となるように円弧面で連続させた外観形状を備えるとともに、前記第１の筐体と前記第２の筐体とを開いた状態で露出する面にヒンジ部を介して開閉可能に設けられた保護カバーを備え、
前記記録媒体収納部は、前記保護カバーを開いた状態で露出することを特徴とする記録再生装置。
【請求項３】
画像の撮影、記録、再生機能を有する第１の筐体と、表示機能を有する第２の筐体と、第１の筐体と第２の筐体とを回転可能に連結する連結部とを備え、
前記第１の筐体は、カメラレンズを有するカメラ部を内蔵する収納体と、画像の記録、再生を行うディスクデッキ部とを備え、
前記第２の筐体は、前記第１の筐体と前記第２の筐体とを開いた状態で露出する面に設けられた表示部と板状部材とを備え、
前記板状部材は、前記表示部を有するとともに、前記第１の筐体と前記第２の筐体とを開いた状態で、前記表示部を前記第２の筐体に対して回転可能となるように設けられ、
前記ディスクデッキ部は、前記第１の筐体と前記第２の筐体とを開いた状態で露出する面にヒンジ部を介して開閉可能に設けられた保護カバーと、前記保護カバーを開いた状態で露出する記録媒体収納部とを備えていることを特徴とする記録再生装置。
【請求項４】
請求項１から請求項３記載の何れかの記録再生装置において、
前記第１の筐体は、一方の側面に操作部が配置され、他方の側面に前記カメラレンズが配置されることを特徴とする記録再生装置。
【請求項５】
請求項１から請求項４記載の何れかの記録再生装置において、
前記第２の筐体は、前記第１の筐体と前記第２の筐体とを閉じた状態で、前記第１の筐体に収納されることを特徴とする記録再生装置。
【請求項６】
請求項１から請求項５記載の何れかの記録再生装置において、
前記連結部は、前記第２の筐体を上下方向に回転させる第１連結体と、前記第２の筐体を左右方向に回転させる第２連結体とを備え、
前記第１連結体は、前記収納体の上面で支持されていることを特徴とする記録再生装置。
【発明の詳細な説明】
【０００１】
【発明の属する技術分野】
本発明は、記録媒体を介して画像情報の記録や再生を行う記録再生装置に関するものであり、特に、記録媒体として光ディスクを使用する記録再生装置に関する。
【０００２】
【従来の技術】
近年、ビデオカメラ等の記録再生装置においては、高画質、高精細な画像情報の記録再生を行うために、記録媒体の大容量化が求められている。記録媒体の大容量化を図った記録再生装置としては、例えば、ＤＶＤ−ＲＡＭ等の光ディスクを記録媒体として使用したビデオカメラが実用化されている。このようなビデオカメラの従来例としては、ディスクドライブ部やディスク収納部などが内蔵されたディスクデッキ部の一方側の側面に、カメラレンズや撮像素子などを内蔵したカメラ部が一体化され、カメラ部の側面に液晶モニター部を開閉可能に設けた構成とし、カートリッジに収納された光ディスクをディスクデッキ部にセットし、ディスクデッキ部を片手で保持しながら画像の撮影や記録を行うビデオカメラが知られている（特許文献１を参照）。
【特許文献１】
特開２００１−１１１８７７号公報
【０００３】
【発明が解決しようとする課題】
上記従来例においては、液晶モニター部に設けられた横長の表示画面に合わせた撮影方向、いわゆる横方向からの撮影（横撮り）を前提とした構成となっている。このため、縦方向からの撮影（縦撮り）を行う場合には、ビデオカメラ全体を寝かせるように保持して撮影を行わなければならない。このように、ビデオカメラを寝かせるようにして撮影（縦撮り）する場合には、手首を返してディスクデッキ部を保持し、身体を傾けるような姿勢で撮影しなければならず、ビデオカメラを保持する手にかかる負担が大きくなる。しかも、操作ボタンやレバー等は横撮りを前提として構成されているため、縦撮りの状態では操作しづらくなる。
このため、上記従来例においては、縦撮りを行う場合におけるカメラの保持性や操作性に対する配慮がなされていない。
また、上記従来例においては、一方の手でディスクデッキ部を保持して使用するため、記録媒体の着脱の際にはビデオカメラを他方の手で持ち変える必要があり、記録媒体の着脱をスムーズに行うという点についての配慮がなされていない。
そこで、本発明の目的とするところは、撮影状態に影響されることなく、操作性や保持性を良好にするとともに、記録媒体の着脱を容易に行うことができる記録再生装置を提供することにある。
【０００４】
【課題を解決するための手段】
前記目的を達成するために、本発明は、画像の撮影、記録、再生機能を有する第１の筐体と、表示機能を有する第２の筐体と、第１の筐体と第２の筐体とを回転可能に連結する連結部とを備え、前記第１の筐体は、カメラレンズを有するカメラ部と、画像の記録、再生を行うディスクデッキ部とを内部に備え、前記ディスクデッキ部は、前記第１の筐体と前記第２の筐体とを開いた状態で露出する面にヒンジ部を介して開閉可能に設けられた保護カバーと、前記保護カバーを開いた状態で露出する記録媒体収納部とを備えるようにする。
また、前記目的を達成するために、本発明は、画像の撮影、記録、再生機能を有する第１の筐体と、表示機能を有する第２の筐体と、第１の筐体と第２の筐体とを回転可能に連結する連結部とを備え、前記第１の筐体は、カメラレンズを有するカメラ部と、画像の記録、再生を行うディスクデッキ部とを内部に備え、前記ディスクデッキ部は、画像の記録、再生を行うピックアップ装置と、記録媒体を収納する記録媒体収納部と、収納された記録媒体を保持する記録媒体装着部とを備え、前記ピックアップ装置は、その一部が前記ディスクデッキ部よりも突出するように配置され、前記カメラ部は、前記ピックアップ装置の突出した部分の近傍に配置されるとともに、前記カメラレンズが露出するように前記ピックアップ装置の突出した部分を収納する収納部を備え、前記収納体は、前記ディスクデッキ部よりも幅の狭い外観形状を備え、前記第１の筐体は、前記収納体と前記ディスクデッキ部とが一体となるように円弧面で連続させた外観形状を備えるとともに、前記第１の筐体と前記第２の筐体とを開いた状態で露出する面にヒンジ部を介して開閉可能に設けられた保護カカバーを備え、前記記録媒体収納部は、前記保護カバーを開いた状態で露出するようにする。
【０００５】
【発明の実施の形態】
以下、図１から図１３を参照して、本発明の実施形態を説明する。図１から図１１が第１の実施の形態を示し、図１２から図１３が第２の実施の形態を示している。なお、この説明においては、同一の部位や機能、矢印などは同一符号をもって示し、重複した説明は省略する。
＜第１の実施の形態＞
先ず、図１を参照して、第１の実施の形態に係る記録再生装置の外観構成を、ビデオカメラを例として説明する。図１は本発明の第１の実施の形態に係るビデオカメラの外観図であって、図１（ａ）は正面図、図１（ｂ）は左側面図、図１（ｃ）は右側面図、図１（ｄ）は平面図、図１（ｅ）は底面図、図１（ｆ）は背面図である。
図１（ａ）において、符号１で総括的に示すのは、記録媒体として光ディスクを備えたビデオカメラであり、このビデオカメラ１は、画像の撮影機能や記録機能、再生機能などを有する第１の筐体１０と、表示機能を有する第２の筐体２０とを有し、この２つの筐体が連結部３０を介して上下方向および左右方向へ回動可能となるように連結された構成としている。
第１の筐体１０は、光ディスク等の記録媒体を収納し、収納された記録媒体への画像の記録や、記録媒体に記録された画像の読み出し（画像再生）などを行う円形のディスクデッキ部２１０と、このディスクデッキ部２１０の上方に設けられ、カメラ部４０（図１（ｂ）参照）や記録ボタン５０（図１（ｃ）参照）等が内蔵された収納体６０とで構成され、このディスクデッキ部２１０と収納体６０とが一体となるように、緩やかな円弧面７０で凹ますように連続させた外観形状（図１（ｅ）参照）を備えている。そして、表示機能を有し、第１の筐体１０より小さな外形の円形を基調とした外観形状の第２の筐体２０を、収納体６０の上面に配置された連結部３０を介し、第１の筐体１０に対して上下方向および左右方向へ回転可能に取り付けることで、２つの筐体が折り畳まれた状態では、第２の筐体２０が第１の筐体１０に収納されるような「カスタネット型」の外観形状としている。
このような構成とすることにより、例えば、ビデオカメラ１を一方の手で保持するような場合に円弧面７０を手掛け部とすることができるので、ビデオカメラ１の保持性を良好にすることができる。しかも、ビデオカメラ１を保持していない他方の手で第２の筐体２０の開閉動作や位置調節を行うことができる使い勝手の良好なビデオカメラとすることができる。
また、第１の筐体１０には、第１の筐体１０と第２の筐体２０とを開いた状態で露出する第１の筐体１０の内面１０ａに、ディスクデッキ部２１０に収納された記録媒体を保護するための保護カバー８０が設けられており、この保護カバー８０は、ディスクデッキ部２１０の上面を構成するとともに、ディスクデッキ部２１０の上面にヒンジ部９０を介して開閉可能に取り付けられている。
このような構成とすることにより、記録媒体の収納や各種機能などを第１の筐体１０に集中させることができるので、ビデオカメラ１の大きさをコンパクトにすることができる。しかも、保護カバー８０に触れることなくビデオカメラ１を保持することができるので、ビデオカメラ１を持ち替えることなく保護カバー８０の開閉することができ、記録媒体の着脱を容易に行うことができる。
図１（ｂ）および図１（ｃ）において、第１の筐体１０は、一方の側面に画像の撮影を行うカメラ部４０と、撮影時における音声等を拾うマイク部１００と、ＰＣやビデオテープレコーダー、電源アダプター等を接続する外部入力端子２３０が設けられ、カメラ部４０はカメラレンズ４１を備えている。また、第１の筐体１０は、他方の側面にビデオカメラ１のモード設定や画像の撮影、画像調整等の各種操作を行うための操作部５７（図２参照）を構成する複数の操作ボタンが設けられている。本実施形態では、第１の筐体１０の左側面にカメラ部４０やカメラレンズ４１、マイク部１００、外部入力端子２３０等が設けられ、第１の筐体１０の右側面には複数の操作ボタンが縦一列に配置された形態としている。
【０００６】
また、本実施形態では、第１の筐体１０の右側面に配置される複数の操作ボタンを、記録ボタン５０と電源／モード切替ボタン５１、フルオートボタン５２、逆光補正ボタン５３、ホワイトバランス切替ボタン５４、画面表示切替ボタン５５で構成し、各種操作ボタンは縦一列に配置されている。このように、ビデオカメラ１の側面に操作部５７を集中配置することで、ビデオカメラ１を片手で保持して使用するような場合に、ビデオカメラ１を持つ手で操作部５７を操作することができ、ビデオカメラ１の使用時における各種操作ボタンの操作性を良好にすることができる。
【０００７】
次に、操作部５７を構成する各種操作ボタンの機能について説明する。まず、記録ボタン５０は、主に画像の撮影や記録、再生等を行うボタンであり、ビデオカメラ１の動作モードが動画モードのときには、記録ボタン５０が録画ボタンとして機能し、この記録ボタン５０を操作することで、カメラ部４０による画像の撮影を開始し、撮影された画像が記録媒体に記録され、記録ボタン５０の操作を中止すると、画像の撮影、記録が止まるようになっている。
また、ビデオカメラ１の動作モードが後述する静止画モードのときには、記録ボタン５０が撮影時におけるシャッターボタンとして機能し、記録ボタン５０を押すごとに、静止画像を１枚ずつ撮影（スナップ撮影）を行うことができるようになっている。
さらに、ビデオカメラ１の動作モードが後述する画像再生モードのときには、記録ボタン５０が記録画像の再生／停止ボタンとして機能し、記録ボタン５０を押すと記録画像が再生され、再生中に再度、記録ボタン５０を押すと再生を停止するようになっている。そして、記録ボタン５０を押すごとに、記録画像の再生、停止を繰り返すようになっている。
このような構成とすることで、画像の撮影や記録、再生を一つの操作ボタンで行うことができるので、ビデオカメラ１の使い勝手を良好にすることができる。
電源／モード切替ボタン５１は、主にビデオカメラ１の電源制御やビデオカメラ１の動作モードを切り替えるボタンである。ビデオカメラ１の電源がオフの状態で、この電源／モード切替ボタン５１を、例えば、１秒程度の長押し操作をすると、制御部２００（図２参照）は、ビデオカメラ１の電源をオンにするとともに、ビデオカメラ１に設定されている動作モードを起動させ、記録ボタン５０の操作により、画像の撮影や記録、再生等が行えるように制御する。
例えば、ビデオカメラ１の電源がオンの状態で、電源／モード切替ボタン５１を操作すると、制御部２００は、電源／モード切替ボタン５１が操作されるごとに、ビデオカメラ１の動作モードを動画撮影モード、静止画撮影モード、画像再生モードのサイクルで切り替えるように制御する。
また、制御部２００は、電源／モード切替ボタン５１の操作による動作モードの切替に伴い、ビデオカメラ１の各動作モードに対応した機能を記録ボタン５０に設定するように制御している。例えば、ビデオカメラ１の電源がオンの状態で動画撮影モードが起動しているときに電源／モード切替ボタン５１を操作すると、制御部２００は、ビデオカメラ１の動作モードを動画撮影モードから静止画撮影モードに切り替えるとともに、記録ボタン５０がシャッターボタンとして機能するように制御する。
さらに、静止画撮影モードの状態から電源／モード切替ボタン５１を操作すると、制御部２００は、ビデオカメラ１の動作モードを静止画撮影モードから画像再生モードに切り替えるとともに、記録ボタン５０が画像の再生／停止ボタンとして機能するように制御する。
【０００８】
ビデオカメラ１の電源がオンの状態で、電源／モード切替ボタン５１を、例えば、１秒程度の長押し操作をすると、制御部２００は、ビデオカメラ１の電源がオフとなるように制御する。なお、本実施形態では、ビデオカメラ１の電源がオフの状態から電源／モード切替ボタン５１を再度、短時間（例えば、１秒程度）の長押し操作をすると、制御部２００は、ビデオカメラ１の電源をオンにするとともに、電源をオフにしたときに起動していた動作モードを再度起動させるように制御する。
このような構成とすることで、電源制御や動作モードの設定を一つの操作ボタンで容易に行うことができる。
逆光補正ボタン５３は、逆光状態で撮影を行うときに操作されるボタンであり、この逆光補正ボタン５３を操作することで、制御部２００は、レンズの絞り値を低くして表示部１１０の画面全体を明るくし、画面の暗い部分を明るくするように制御している。
ホワイトバランス切替ボタン５４は、撮影時に使用する光源の種類に合わせて色温度を調整するボタンであり、このホワイトバランス切替ボタン５４が操作されるごとに、制御部２００は、屋内（蛍光灯）、屋外（自然光）、オートのサイクルで切り替えるように制御しており、撮影時における色温度を調節することができるようになっている。
フルオートボタン５２は、カメラ部４０により撮影を行うときに操作されるボタンであり、このフルオートボタン５２を操作すると、制御部２００は、フォーカスやシャッタースピード、レンズ絞り値や上述したホワイトバランスなどを、撮影状態に合わせて自動設定するように制御している。
画像表示切替ボタン５５は、表示部１００に表示されるバッテリー１２１（図１（ｆ）参照）の残量や記録媒体の残時間、画質レートなどの字幕表示を切り替えるボタンであり、この画像表示切替ボタン５５が操作されるごとに、制御部２００は、表示部１１０に表示される字幕表示のオンオフを切り替えるように制御している。
このような構成とすることで、必要に応じて各種の機能を任意に調節できるので、ビデオカメラ１の使い勝手を良好にすることができる。
図１（ｄ）および図１（ｅ）において、第１の筐体１０は、側面が緩やかな円弧面７０で凹まされた外観形状を有している。このような構成とすることにより、緩やかな円弧面７０に指などを引っかけるように保持することができるので、ビデオカメラの保持性を良好にすることができる。
第１の筐体１０の底面には、第２の筐体２０および保護カバー８０を開閉するためのスイッチ１２０が設けられている。このスイッチ１２０は、第１の筐体１０と第２の筐体２０が閉じた状態で操作すると、第１の筐体１０と第２の筐体２０とをロックしている図示しないロック機構を解除し、第２の筐体２０が図１（ｃ）で示す矢印Ａ方向（上下方向）に回動できるようになっている。
また、スイッチ１２０は、第１の筐体１０と第２の筐体２０が開いた状態で操作すると、第１の筐体１０と保護カバー８０とをロックしている図示しないロック機構を解除し、保護カバー８０が図１（ｃ）で示す矢印Ａ方向（上下方向）に回動できるようになっている。
このような構成とすることにより、折り畳んだ状態で携帯しているときに、第２の筐体２０が不用意に回動することがないので、ビデオカメラ１の携帯性を良好にすることができる。また、第２の筐体２０が開いた状態（使用状態）においても、保護カバー８０が不用意に回動することがないので、ディスクデッキ部２１０に収納された記録媒体を保護することができる。
なお、本実施形態では、スイッチ１２０により保護カバー８０の開閉を行っているが、保護カバー８０の開閉を行う独立したスイッチ（図示省略）を第１の筐体１０に設けるようにしてもよい。
【０００９】
図１（ｆ）において、第１の筐体１０の背面には、ビデオカメラ１に電源を供給するバッテリー１２１と、撮影時におけるズーム調整を行うズーム調整レバー１２２とが設けられている。バッテリー１２１は、第１の筐体１０の背面から僅かに突出するようなドーム型の外観形状を備えると共に、手掛け用の凹部１２３が設けられている。そして、この凹部１２３に指を掛けてバッテリー１２１を回転させることで、第１の筐体１０に設けられた端子（図示省略）とバッテリー端子（図示省略）との接触を解除し、バッテリー１２１を第１の筐体１０から取り外すことができるようになっている。また、第１の筐体１０の背面にバッテリー１２１を装着する場合には、第１の筐体１０の背面にバッテリー１２１をセットし、凹部１２３に指を掛けて回転させることで、第１の筐体１０に設けられた端子とバッテリー端子とが接触し、ビデオカメラ１への電源供給が可能な状態となる。
【００１０】
このような構成とすることにより、バッテリー１２１の着脱を容易に行うことができる。また、ビデオカメラ１を保持する際に、円弧面７０に指などを引っかけるとともに、ドーム型に突出した部分を手の平で保持することができるので、安定した状態で画像の撮影や記録、再生を行うことができる。
図１（ａ）に戻り、第２の筐体２０は、第１の筐体１０と第２の筐体２０とを開いた状態で露出する内面２０ａに設けられた表示部１１０と円形の板状部材１３０を有するとともに、背面にドーム型の隆起部１５０が形成された外観形状を備えている。
板状部材１３０は、横長矩形状の表示部１１０と、この表示部１１０を挟み込むように形成された一対の凹部１４０とを有するとともに、第１の筐体１０と第２の筐体２０とを開いた状態で、第２の筐体２０の内周面に沿って時計方向および反時計方向へ回転可能に設けられている。そして、第２の筐体２０の内面２０ａが露出した状態で、凹部１４０に指などを引っかけて板状部材１３０を回転させることで、表示部１１０が第２の筐体２０に対して回転するようになっている。
このような構成とすることで、撮影方向に影響されず、表示部１１０の向きを任意に変えることができる。しかも、表示部１１０の向きに影響されることなく操作部５７を操作することができるので、使用状態に合わせた最適な形態で画像の撮影や記録、再生を行うことができる。
【００１１】
次に、図２および図３を参照して、第１の実施の形態に係るビデオカメラの装置構成を説明する。図２はビデオカメラの構成を示す装置ブロック図である。図３は第１の筐体の内部レイアウトを示す透視平面図である。
図２において、ビデオカメラ１の動作を統括的に制御する制御部２００が設けられており、この制御部２００にバスを介して上述した各種装置やスイッチ類が接続される。
ディスクデッキ部２１０は、記録再生用のピックアップ装置２１１と記録媒体装着部２１２とモーター２１３とから構成されたドライブ部２１６を備え、ドライブ部２１６は図３で示すように、第１の筐体１０の内部に設けられている。
また、ディスクデッキ部２１０には、記録媒体２１４を保護する保護カバー８０（図１参照）が設けられている。この保護カバー８０は、ディスクデッキ部２１０の上面を構成するとともに、その背面とディスクデッキ部２１０との間で空間を形成するようにヒンジ部９０を介して回転可能に設けられており、通常は図示しないロック機構によりロックされている。そして、この保護カバー８０の背面とディスクデッキ部２１０との間に形成された空間が記録媒体収納部２１５（図１０参照）となる。この記録媒体収納部２１５は、保護カバー８０とディスクデッキ部２１０とをロックしているロック機構を解除し、保護カバー８０を開くことで露出するようになっている。そして、記録媒体２１４を記録媒体収納部２１５へ挿入して記録媒体装着部２１２に装着し、保護カバー８０を閉じることにより、記録媒体２１４を記録媒体収納部２１５に収納、即ち、ディスクデッキ部２１０に記録媒体２１４を収納することができる。
外部入力端子２３０は、第１の筐体１０の側面に設けられ、この外部入力端子２３０を介して携帯電話機やＰＤＡ、ＰＣ等の端末装置やビデオテープレコーダー等の映像機器、電源アダプターなどを接続することができる。外部入力端子２３０は、通常、キャップ２３１（図１参照）でカバーされており、携帯電話機やＰＤＡ、ＰＣ等の端末装置やビデオテープレコーダー等の映像機器、電源アダプターなどを接続する際には、キャップ２３１を取り外し、露出した接続端子（図示省略）を介して接続されるようになっている。そして、これらの端末装置や映像機器を接続した状態では、ビデオカメラ１と端末装置、映像機器との間で、画像データの送受信が行えるようになっている。例えば、外部入力端子２３０を介してビデオテープレコーダーを接続した場合、ビデオテープに記録されたアナログ映像を再生し、再生されたアナログ映像信号を、Ａ／Ｄ変換部２２０を通してデジタル映像信号に変換し、光ディスク等の記録媒体２１４にデジタル映像として記録することができるようになっている。
【００１２】
次に、図３を参照して、上述した各種装置やスイッチ類の内部レイアウトについて説明する。
図３において、第１の筐体１０は、その内部の略中央にメイン基板９１が配置されており、このメイン基板９１に上述した制御部２００やピックアップ装置２１１、カメラ４０、バッテリー１２１等の各種装置が接続されている。また、第１の筐体１０は、操作部５７が接続されるスイッチ基板９２がその内周面に沿って配置されており、このスイッチ基板９２はメイン基板９１と接続されている。
メイン基板９１と接続されたピックアップ装置２１１は、その一部がディスクデッキ部２１０よりも突出するように配置され、ピックアップ装置２１１の突出した部分は、ディスクデッキ部２１０の上方に配置された収納体６０に収納されるようになっている。そして、このピックアップ装置２１１の突出した部分の近傍、例えば、ピックアップ装置２１１の突出した部分の左側にメイン基板９１と接続されるカメラ部４０、右側にスイッチ基板９２と接続される記録ボタン５０をそれぞれ配置し、ビックアップ装置２１１の突出した部分とともに、カメラレンズ４１が露出するように収納体６０に収納されるようになっている。
このような構成とすることにより、第１の筐体１０の内部に各種装置を効率よく配置することができるので、ビデオカメラ１の大きさをコンパクトにすることができる。
また、モーター２１３の先端には、光ディスク等の記録媒体２１４を装着する記録媒体装着部２１２が設けられており、記録媒体２１４の装着時には、モーター２１３の回転により記録媒体２１４が回転し、ピックアップ装置２１１を介して画像の記録や再生が行われるようになっている。このような構成とすることにより、カートリッジ等に収納することなく、光ディスク等の記録媒体を直接装着することができる。
【００１３】
次に、図４を参照して、第１の実施形態に係るビデオカメラの折り畳み状態の外観構成について説明する。図４は第１の筐体と第２の筐体とを閉じた状態を示す外観図であって、図４（ａ）は正面図、図４（ｂ）は左側面図、図４（ｃ）は右側面図、図４（ｄ）は平面図、図４（ｅ）は底面図である。
図４において、第１の筐体１０と第２の筐体２０を閉じた状態においては、２つの筐体を折り畳んだ状態で隠蔽される第２の筐体２０の内面２０ａに設けられた円形の板状部材１３０（図１参照）と、２つの筐体を折り畳んだ状態で隠蔽される第１の筐体１０の内面１０ａに設けられた保護カバー８０とが相対するように第２の筐体２０が第１の筐体１０へ収納されるようになっている。また、図４（ｂ）および図４（ｃ）で示すように、第１の筐体１０と第２の筐体２０を閉じた状態においては、第１の筐体１０の背面からドーム型に突出するように設けられたバッテリー１２１と、第２の筐体の背面に形成されたドーム型の隆起部１５０とが相対するような前後対称の外観形状を取り得るようになっている。
さらに、図４（ｄ）および図４（ｅ）で示すように、第１の筐体１０は、平面および底面から見た造形を、ドーム型のバッテリー１２１とドーム型の隆起部１５０とを緩やかな円弧面７０で連続させた外観形状とすることで、前後対称で丸みを基調とした柔らかな造形の外観形状としている。
このような構成とすることにより、ビデオカメラ１を保持した際に、バッテリー１２１を手の平で保持し、かつ緩やかな円弧面７０に指などを引っかけて保持することができるので、安定した状態で画像の撮影や記録、再生を行うことができる。
【００１４】
次に、図５から図９を参照して、第１の実施の形態に係るビデオカメラの第２の筐体の回転動作およびビデオカメラの使用状態について説明する。
図５は連結部の構成を示す部分断面図であり、図５（ａ）は右部分断面図、図５（ｂ）は正面部分断面図である。図６は第２の筐体の回転状態を示す図であり、図６（ａ）は上下方向への回転状態を示す右側面図、図６（ｂ）は左右方向への回転状態を示す平面図である。図７は第２の筐体の回転状態を示す図であり、図７（ａ）は第２の筐体を左右方向へ回転させた状態を示す右側面図、図７（ｂ）は第２の筐体を左右方向へ回転させた状態を示す左側面図である。
また、図８および図９は第１の実施の形態に係るビデオカメラの使用状態を示す図であり、図８（ａ）は第２の筐体を上下方向へ回転した状態での使用状態を示す図、図８（ｂ）は第２の筐体を反転させ、第１の筐体に収納した状態での使用状態を示す図、図９（ａ）は第２の筐体を左右方向へ回転した状態での使用状態を示す図、図９（ｂ）は第２の筐体を左右方向へ回転させ、かつ表示部を回転させた状態での使用状態を示す図である。
図５（ａ）で示すように、連結部３０は、第２の筐体２０を上下方向に回転させる第１連結体３１０と、第２の筐体２０を左右方向に回転させる第２連結体３２０とから構成されている。第１連結体３１０は第１回転軸３１１を備え、この第１回転軸３１１を第１の筐体１０に形成された第１回転軸受部３１２へ嵌合させることにより、第２の筐体２０を上下方向へ回転可能に支持している。
また、図５（ｂ）で示すように、第２連結体３２０は、第１回転軸３１１と直交するように設けられており、この第２連結体３２０を第１連結体３１０に形成された嵌合部３１３と嵌合させることにより、第２の筐体２０を左右方向へ回転可能に支持されている。
このような構成とすることにより、第２の筐体２０を上下方向および左右方向へ自由に回転させることができるので、使用状態に合わせた最適な形態でビデオカメラ１を使用することができる。
【００１５】
図６（ａ）において、第１の筐体１０と第２の筐体２０とを閉じた状態から、スイッチ１２０を操作することにより、第１の筐体１０と第２の筐体２０とをロックするロック機構（図示省略）が解除され、第２の筐体２０が回転可能な状態となる。この状態から、第２の筐体２０を手などで保持し、第１連結体３１０の第１回転軸３１１を中心として、第２の筐体２０を矢印Ａ方向（上下方向）へ０°から１８０°の範囲で回転させることができるようになっている。この結果、第２の筐体２０を閉じたり、開いたりすることができる。
また、図６（ｂ）で示すように、第２の筐体２０は、第１の筐体１０と第２の筐体２０とを開いた状態から、第２の筐体２０を手などで保持し、第２連結体３２０の第２回転軸３２１を中心として矢印Ｂ方向（左右方向）へ３６０°回転させることができるようになっている。この結果、第２の筐体２０に配置された表示部１１０の向きを水平、斜め、上向きなど、任意の方向に変えることができる。
例えば、第２の筐体２０を矢印Ａ方向に９０°回転させた状態から、第２の筐体２０を矢印Ｂ方向に９０°回転させることにより、図７で示すように、第２の筐体２０がカメラ部４０に対して平行な状態となり、使用者（撮影者）はカメラ部４０を被写体に向け、カメラ部４０で捉えた映像を表示部１１０で確認しながら撮影を行うことができるので、カメラ部４０による撮影を行うのに最適な形態をとることができる。
このように、第１の筐体１０と第２の筐体２０とを、図５で示すような構成の連結部３００を介して接続することで、図６で示すように、第２の筐体２０を使用状況に応じて上下方向および左右方向へ自由に回転させることができ、ビデオカメラ１を使用状態に合わせた最適な形態とすることができる。例えば、図８（ａ）は、第２の筐体２０を第１の筐体１０に対して上下方向へ回転させた状態を示しており、表示部１１０に表示される映像を、少し離れた視点で見るのに適した形態としている。また、図８（ｂ）で示す状態では、第２の筐体２０を上下方向へ回転させ、更に左右方向へ１８０°回転させた後に、第２の筐体２０を上下方向へ回転させて折り畳んだ状態を示しており、表示部１１０に表示される映像を、近い視点で見るのに適した形態としている。なお、図８で示す形態においては、特に記録媒体に記録された画像を再生するような場合に適している。
また、図７で示した形態では、例えば、図９（ａ）で示すように、使用者は右手で第１の筐体１０を握り、右手の親指以外の４本の指と手の平とでマイク１００よりも下の部分を握ることで、親指により記録ボタン５０や各種操作ボタンとから構成される操作部５７を操作することができる。
さらに、図９（ａ）で示す状態から、凹部１４０に指等をかけ、板状部材１３０を９０°回転させて表示部１１０を縦向きにすることで、図９（ｂ）で示すように、縦方向での撮影が可能となり、縦長の被写体を撮影するのに最適な形態とすることができる。
【００１６】
次に、図１０を参照して、第１の実施の形態に係るビデオカメラの第１の筐体の内部機構について説明する。図１０は第２の筐体と保護カバーを開いた状態の外観斜視図である。
図１０において、第１の実施の形態に係るビデオカメラ１は、第２の筐体２０を開くと、ヒンジ部９０を介して開閉可能に設けられた保護カバー８０が露出するようになっている。この保護カバー８０は、ディスクデッキ部２１０の上端面２１０ａよりも低い位置に設けられており、この保護カバー８０の上面と上端面２１０ａとの間に、折り畳み時に第２の筐体２０を収納するための収納空間２１０ｂが形成されている。また、保護カバー８０は、図示しないロック機構により第１の筐体１０にロックされており、第１の筐体１０と第２の筐体２０とが開いた状態で、第１の筐体１０の底面に設けられたスイッチ１２０を操作することによりロックが解除され、ヒンジ部９０を介して開閉できるようになっている。
そして、この保護カバー８０をヒンジ部９０を介して開くと記録媒体収納部２１５が露出し、ＤＶＤ−ＲＡＭ等の光ディスクを収納できるようになっている。この記録媒体収納部２１５は、光ディスク等の記録媒体の形状に合わせた円形の外観形状を備えており、中央に配置された記録媒体装着部２１２にＤＶＤ−ＲＡＭ等の光ディスクを装着し、保護カバー８０を閉じることで、記録媒体収納部２１５に光ディスク等の記録媒体が収納されるようになっている。
【００１７】
このような構成とすることで、ディスクデッキ部２１０とカメラ部４０とが一体に形成されたコンパクトなビデオカメラ１とすることができる。また、このような構成とすることで、ビデオカメラ１を保持して撮影等を行う際に、保護カバー８０に直接触れることなくビデオカメラ１を保持することができるので、例えば、記録媒体を交換するような場合に、ビデオカメラ１を持ち替えることなく記録媒体を交換することができる。しかも、保護カバー８０を閉じた状態では、保護カバー８０と第１の筐体１０がロック機構によりロックされるので、ビデオカメラ１の使用時に保護カバー８０が不用意に開くことが無く、記録媒体の落下や傷付きを防止することができる。
【００１８】
次に、図１１を参照して、第１の実施の形態に係るビデオカメラの動作フローについて説明する。図１１は、第１の実施の形態に係るビデオカメラの動作フロー図である。
図１１において、まず、ビデオカメラ１の電源がオフの状態から、電源／モード切替ボタン５１を、例えば、短時間の長押し操作すると（ステップ１７１）、制御部２００は、電源／モード切替ボタン５１が長押し操作されたことを検知し、バッテリー１２１からビデオカメラ１に電源が供給されるように制御すると共に、画像の撮影あるいは記録、再生等の各種動作を行うことが可能な状態にビデオカメラ１を制御する（ステップ１７２）。同時に、表示部１１０には、光ディスク等の記録媒体２１４の装着状態や、電源立ち上げ時に設定されている撮影モード等の各種情報が表示されるようになっている。
ステップ１７３において、表示部１１０に表示された情報から記録媒体２１４の装着状態を確認し、ビデオカメラ１に記録媒体２１４が装着されていれば、撮影状態に合わせて第２の筐体２０の位置や撮影方向などを調整する（ステップ１７４）。
ステップ１７３において、ビデオカメラ１に記録媒体２１４が装着されていない場合には、スイッチ１２０を操作して保護カバー８０を開き、記録媒体装着部２１２を介してビデオカメラ１に記録媒体２１４を装着する（ステップ１７５）。
そして、記録媒体２１４の装着が完了したら保護カバー８０を閉じ、撮影状態に合わせて第２の筐体２０の位置や撮影方向などを調整する（ステップ１７４）。
ステップ１７６において、第２の筐体２０の位置や撮影方向などを調整したら、表示部１１０に表示された情報から、電源供給時に設定されている動作モードを確認し、動作モードに従って撮影や記録、画像再生等を行う。例えば、電源供給時に静止画モードが設定されており、引き続き静止画モードで撮影を行う場合、制御部２００は記録ボタン５０がシャッターボタンとして機能するように制御し、シャッターボタン（記録ボタン５０）を操作することにより（ステップ１７７）、静止画像を１枚ずつ撮影し、撮影した静止画像を記録媒体に記録するように制御する（ステップ１７８）。
ステップ１７６において、例えば、ビデオカメラ１の動作モードを静止画モードから他の動作モードに変更する場合には、電源／モード切替ボタン５１を操作すると（ステップ１７９）、制御部２００は、電源／モード切替ボタン５１の操作回数を検知し、検知した操作回数に対応した動作モードが設定されるように制御している。
例えば、ステップ１７９において、静止画モードに設定された状態から、電源／モード切替ボタン５１を１回操作することにより、制御部２００はビデオカメラ１の動作モードを、静止画モードから動画モードに切り替えるように制御する（ステップ１８０）。
ステップ１８１において、ビデオカメラ１の動作モードを、動画モードから変更する必要がなければ、ステップ１８２で示すように、録画ボタン（記録ボタン５０）を操作することにより、制御部２００は、録画ボタンが押されている間における動画像の撮影、記録を行うように制御する（ステップ１８３）。
ステップ１８１において、ビデオカメラ１の動作モードを、動画モードから変更する必要があれば、ステップ１８４で示すように、電源／モード切替ボタン５１をさらに１回操作すると、制御部２００はビデオカメラ１の動作モードを動画モードから画像再生モードに切り替えるように制御する（ステップ１８５）。
ステップ１８６において、ビデオカメラ１の動作モードを、画像再生モードから変更する必要がなければ、ステップ１８７で示すように、再生／停止ボタン（記録ボタン５０）を操作することにより、制御部２００は、記録媒体に記録された静止画像あるいは動画像の再生を行うように制御する（ステップ１８８）。
ステップ１８６において、ビデオカメラ１の動作モードを、画像再生モードから他の動作モードに変更する場合には、電源／モード切替ボタン５１を操作すると（ステップ１９３）、制御部２００が電源／モード切替ボタン５１の操作状態を検知し、所望の動作モードを設定、あるいはビデオカメラ１の電源をオフとするように制御する。
ステップ１８９において、再生中の画像を停止する場合には、ステップ１９０で示すように、再生／停止ボタンを操作すると、制御部２００は再生中の画像を停止させるように制御している（ステップ１９１）。停止した画像を再度、再生する場合には、再生／停止ボタンを操作すると（ステップ１８７）、制御部２００は画像の再生を行うようにビデオカメラ１を制御している（ステップ１８８）。
また、ステップ１８９において、画像の停止が必要ない場合には、画像再生を継続し、画像再生が終了したら（ステップ１９２）、画像の再生が自動的に停止するので、電源／モード切替ボタン５１を操作し（ステップ１９３）、ビデオカメラ１の電源をオフにするか、あるいはビデオカメラ１の動作モードを再度設定する。
【００１９】
以上説明したように、第１の実施の形態においては、記録再生装置の保持性や操作性を良好にすることができ、かつ各動作モードに最適な形態をとることができる。
【００２０】
また、記録媒体を交換するような場合に、記録再生装置を持ち替える必要がないので、記録媒体の交換を容易に行うことができる。
＜第２の実施の形態＞
次に、図１２および図１３を参照して、第２の実施の形態に係る記録再生装置の外観構成を、ビデオカメラを例として説明する。図１２は第２の実施の形態に係るビデオカメラの外観図であり、図１２（ａ）は正面図、図１２（ｂ）は左側面図、図１２（ｃ）は右側面図、図１２（ｄ）は平面図、図１２（ｅ）は底面図、図１２（ｆ）は背面図である。図１３は保護カバーに配置された操作キーの応用例を示す正面図であり、図１３（ａ）は保護カバーにカーソルキーとテンキー、ファンクションキーが配置された正面図、図１３（ｂ）は保護カバーにタッチパネルが配置された正面図である。なお、第１の実施の形態と同一な部位や矢印などは、同一符号をもって示し、重複した説明を省略する。
【００２１】
図１２において、符号２で総括的に示すのはビデオカメラであり、第１の実施の形態で説明したビデオカメラに、電話機能やメール機能等の通信機能を設けた点に大きな特徴を有している。
【００２２】
図１２（ａ）において、ビデオカメラ２は、画像の撮影機能や記録機能、画像再生機能、通信機能などを有する第１の筐体１０と、表示機能を有する第２の筐体２０とを備え、この２つの筐体が連結部３０を介して上下方向および左右方向へ回動可能となるように接続された構成としている。
【００２３】
第１の筐体１０は、楕円形のディスクデッキ部２１０と、ディスクデッキ部２１０上方に配置された収納体６０とを有し、このディスクデッキ部２１０と収納体６０とを緩やかな円弧面７０で連続させた外観形状を備えている。また、第２の筐体２０は、楕円形状の外観形状を備え、折り畳んだ状態では、第１の筐体１０へ収納されるようになっている。これにより、保持性や携帯性を良好にすることができる。
ビデオカメラ２は、折り畳んだ状態で隠蔽される第１の筐体１０の内面１０ａにヒンジ部９０を介して開閉可能に配置された保護カバー８０と、この保護カバー８０の上面に配置されたテンキー２５０と保護カバー８０の下方に配置されたマイク部２６０とを備えている。
第２の筐体２０は、折り畳んだ状態で隠蔽される内面２０ａに回転可能に配置され、矩形状の表示部１１０と一対の凹部１４０とを有する円形の板状部材１３０と、この板状部材１３０の周囲に配置されたスピーカー部２７０とを備えている。そして、第１の筐体１０と第２の筐体２０とを開いた状態では、表示部１１０や一対の凹部１４０、テンキー２５０やマイク部２６０、スピーカー部２７０が露出するようになっている。
このような構成とすることで、カメラ機能を有する携帯電話機、即ち、カメラ付き携帯電話機として使用することができる。
具体的には、ビデオカメラ２の電源がオンの状態で、電源／モード切替ボタン５１を操作し、動作モードを通信モードに設定することにより通信可能な状態となる。そして、テンキー２５０を操作することにより、電話やメール、画像送信など、一般の携帯電話機が有する機能を実行することができる。
このように、ビデオカメラ２に通信機能を設けた場合、例えば、制御部２００は、電源／モード切替ボタン５１が操作されるごとにその動作モードを、動画撮影モード、静止画撮影モード、画像再生モード、通信モードのサイクルで制御するように構成されている。
なお、第２の実施の形態では、テンキー２５０の操作により一般の携帯電話機の機能を実行しているがこれに限定されるものではない。例えば、図１３（ａ）で示すように、保護カバー８０の上面にテンキー２５０とファンクションキー２５５とカーソルキー２５６とで操作キー群を構成し、これらを操作して電話やメール、画像送信など、一般の携帯電話機が有する機能を実行してもよい。また、図１３（ｂ）で示すように、保護カバー８０の上面にタッチパネル２５７を配置し、このタッチパネル２５７に設けられた操作キー２５８を操作することにより、電話やメール、画像送信など、一般の携帯電話機が有する機能を実行してもよい。
また、第２の実施の形態では、第２の筐体２０の内面２０ａに表示部１１０を設けた構成としているが、表示部１１０に加え、第２の筐体２０の外面（背面）に図示しないサブ表示部を設けるようにしてもよい。このサブ表示部を設けることにより、例えば、動作モードが通信モードの場合に、第１の筐体１０と第２の筐体２０とを折り畳んだ状態でも、電話やメールの着信状態を確認することができるので、使い勝手をより向上させることができる。
【００２４】
さらに、サブ表示部にファインダー機能を持たせることにより、例えば、動作モードが動画撮影モードあるいは静止画撮影モードの場合に、第１の筐体１０と第２の筐体２０とを折り畳んだ状態でもカメラ部４０による画像の撮影や記録を行うことができるので、カメラ部の使い勝手を良好にすることができる。
【００２５】
【発明の効果】
本発明によれば、撮影状態に影響されることなく、操作性や保持性を良好にするとともに、記録媒体の着脱を容易に行うことができる記録再生装置を提供することができる。
【図面の簡単な説明】
【図１】第１の実施の形態に係るビデオカメラの外観図である。
【図２】第１の実施の形態に係るビデオカメラの構成を示す装置ブロック図である。
【図３】第１の実施の形態に係るビデオカメラの第１の筐体の内部レイアウトを示す透視平面図である。
【図４】第１の実施の形態に係るビデオカメラの第１の筐体１０と第２の筐体２０とを閉じた状態を示す外観図である。
【図５】第１の実施の形態に係るビデオカメラの連結部の構成を示す部分断面図である。
【図６】第１の実施の形態に係るビデオカメラの第２の筐体の回転状態を示す図である。
【図７】第１の実施の形態に係るビデオカメラの第２の筐体の回転状態を示す図である。
【図８】第１の実施の形態に係るビデオカメラの使用状態を示す図である。
【図９】第１の実施の形態に係るビデオカメラの使用状態を示す図である。
【図１０】第１の実施の形態に係るビデオカメラの第２の筐体と保護カバーを開いた状態の外観斜視図である。
【図１１】第１の実施の形態に係るビデオカメラの動作フロー図である。
【図１２】第２の実施の形態に係るビデオカメラの外観図である。
【図１３】第２の実施の形態に係るビデオカメラの第１の筐体に配置された操作キーの応用例を示す正面図である。
【符号の説明】
１…ビデオカメラ、１０…第１の筐体、２０…第２の筐体、３０…連結部、４０…カメラ部、４１…カメラレンズ、５０…記録ボタン、５１…電源／モード切替ボタン、５２…フルオートボタン、５３…逆光補正ボタン、５４…ホワイトバランス切替ボタン、５５…画面表示切替ボタン、５７…操作部、６０…収納体、７０…円弧面、８０…保護カバー、９０…ヒンジ部、９１…メイン基板、９２…スイッチ基板、１００…マイク部、１１０…表示部、１２０…スイッチ、１２１…バッテリー、１２２…ズーム調整レバー、１２３…凹部、１３０…板状部材、１４０…凹部、１５０…隆起部、２３０…外部入力端子、２００…制御部、２１０…ディスクデッキ部、２１０ａ…上端部、２１０ｂ：収納空間、２１１…ピックアップ装置、２１２…記録媒体装着部、２１３…モーター、２１４…記録媒体、２１５…記録媒体収納部、２２０…Ａ／Ｄ変換部、２３０…外部入力端子、２３１…キャップ、２５０…テンキー、２５５…ファンクションキー、２５６…カーソルキー、２５７…タッチパネル、２５８…操作キー、２６０…マイク部、２７０…スピーカー部、３１０…第１連結体、３１１…第１回転軸、３１２…第１回転軸受部、３１３…嵌合部、３２０…第２連結体。
【図１】
2005050413.tif 000003
【図２】
2005050413.tif 000004
【図３】
2005050413.tif 000005
【図４】
2005050413.tif 000006
【図５】
2005050413.tif 000007
【図６】
2005050413.tif 000008
【図７】
2005050413.tif 000009
【図８】
2005050413.tif 000010
【図９】
2005050413.tif 000011
【図１０】
2005050413.tif 000012
【図１１】
2005050413.tif 000013
【図１２】
2005050413.tif 000014
【図１３】
2005050413.tif 000015